(57)【特許請求の範囲】
【請求項１】
略筒状をなす外支柱の内部空間に内支柱を挿入し、該外支柱と該内支柱とを長手方向に相対的に移動させることで伸縮可能とした家具の支柱であって、
前記内支柱の外面には、該内支柱の長手方向に延びる板体の連結部が連結され、該板体の上下両端部のうち、少なくとも一方の端部が遊端部となっており、該遊端部には、前記内支柱の外面を押圧する押圧手段と、該押圧手段によって前記板体が前記連結部を支点として弾性変形されることにより位置が調整されて前記外支柱の内面に当接される当接部と、が設けられることを特徴とする家具の支柱。
【請求項２】
前記当接部は、前記連結部と前記押圧手段との間に設けられることを特徴とする請求項１に記載の家具の支柱。
【請求項３】
前記板体の遊端部は、前記内支柱から所定寸法の間隙部を設けて離間されることを特徴とする請求項１または２に記載の家具の支柱。
【請求項４】
前記板体は、前記当接部が前記内支柱の長手方向の端部近傍に配置されるように前記内支柱に連結されることを特徴とする請求項１ないし３のいずれかに記載の家具の支柱。
【請求項５】
前記当接部は、前記板体の長手に直交する方向に延びる枢軸に枢支される転動体となっていることを特徴とする請求項１ないし４のいずれかに記載の家具の支柱。
【請求項６】
前記押圧手段は、前記遊端部に形成された雌ネジ部に螺合される螺合部材となっていることを特徴とする請求項１ないし５のいずれかに記載の家具の支柱。
【発明の詳細な説明】
【技術分野】
【０００１】
本発明は、天板を昇降させて高さ位置を変更できる天板付き家具などに用いられる伸縮可能な支柱に関する。
【背景技術】
【０００２】
近年、オフィス等で使用されるテーブル（家具）として、高さのあるスツール等の簡易的な椅子に軽く腰掛けた状態や椅子に座らずに起立した状態で行う会議、所謂立ち会議が提案されている。この立ち会議は、会議の時間を長引かせないようにするために新たに提案されているものであり、会議参加者の集中力や参加意識を高める点で一定の成果がある。
【０００３】
そして、このような立ち会議及び通常のように椅子に腰を掛けた状態で行う会議の両方で使用できるように、天板を昇降操作できるテーブルがある（例えば、特許文献１〜３参照）。このようなテーブルでは、金属等の剛体によって成形された固定支柱（外支柱）と可動支柱（内支柱）とで構成される脚部（支柱）を有し、固定支柱に可動支柱を長手方向に相対的に移動可能に嵌合させることで、脚部を伸縮させるようにしており、脚部の伸縮の際に、可動支柱がぐらつくことを防ぐための多数のガイドローラー（当接部）が可動支柱と固定支柱の間に配置されている（特に、特許文献３参照）。
【先行技術文献】
【特許文献】
【０００４】
【特許文献１】特許第２７６１７０６号公報（第３頁、第１図）
【特許文献２】特許第３６０１３７８号公報（第３頁、第２図）
【特許文献３】特許第３０５１７０８号公報（第３頁、第６図）
【発明の概要】
【発明が解決しようとする課題】
【０００５】
ガイドローラー（当接部）は、固定支柱（外支柱）の内面から離れれば、可動支柱のぐらつきを防止することができず、かつガイドローラーが固定支柱の内面に強く当たり過ぎると、可動支柱（内支柱）の昇降の際の摺動抵抗となってしまうため、精密にガイドローラーを配置しなければならない。しかしながら、特許文献３にあっては、このガイドローラーは可動支柱に固定されたピンに軸着されているため、ガイドローラーの配置位置を調整できないようになっており、固定支柱及び可動支柱に製造誤差や経年使用による変形等があった場合に、ガイドローラーの位置を容易に調整できないという問題がある。
【０００６】
本発明は、このような問題点に着目してなされたもので、外支柱と内支柱とを長手方向に相対的に移動できる家具の支柱において、外支柱と内支柱との相対的なぐらつきを防ぐための当接部の配置位置を容易に調整できる家具の支柱を提供することを目的とする。
【課題を解決するための手段】
【０００７】
前記課題を解決するために、本発明の家具の支柱は、
略筒状をなす外支柱の内部空間に内支柱を挿入し、該外支柱と該内支柱とを長手方向に相対的に移動させることで伸縮可能とした家具の支柱であって、
前記内支柱の外面には、該内支柱の長手方向に延びる板体の連結部が連結され、該板体の上下両端部のうち、少なくとも一方の端部が遊端部となっており、該遊端部には、前記内支柱の外面を押圧する押圧手段と、該押圧手段によって前記板体が前記連結部を支点として弾性変形されることにより位置が調整されて前記外支柱の内面に当接される当接部と、が設けられることを特徴としている。
この特徴によれば、当接部が外支柱の内面に当接されて、外支柱と内支柱との相対的なぐらつきを防ぐようになっており、この当接部の配置位置は、押圧手段を用いて外支柱の内面と内支柱の外面の離間幅に合わせて容易に調整でき、かつ弾性変形可能な板体の遊端部に当接部が配置されるため、当接部に外力が加わっても、板体の弾性力が外力を吸収して当接部の変形や破損等を防げるようになっている。
【０００８】
本発明の家具の支柱は、
前記当接部は、前記連結部と前記押圧手段との間に設けられることを特徴としている。
この特徴によれば、当接部に加わる外力が連結部と押圧手段とに分散して加わるようになり、連結部と押圧手段とにより当接部を強固に支持できる。
【０００９】
本発明の家具の支柱は、
前記板体の遊端部は、前記内支柱から所定寸法の間隙部を設けて離間されることを特徴としている。
この特徴によれば、押圧手段により当接部の位置調整を行う際に、当接部の内支柱の外面に対する押し付け代、すなわち当接部の位置調整の調整代を大きく確保できる。
【００１０】
本発明の家具の支柱は、
前記板体は、前記当接部が前記内支柱の長手方向の端部近傍に配置されるように前記内支柱に連結されることを特徴としている。
この特徴によれば、最もぐらつき易い内支柱の端部のぐらつきを防止することができ、かつ外支柱に内支柱が挿入された状態で当接部の位置調整を行う際に、内支柱の端部を外支柱の端部から露呈させることで、操作者が押圧手段を容易に操作することができる。
【００１１】
本発明の家具の支柱は、
前記当接部は、前記板体の長手に直交する方向に延びる枢軸に枢支される転動体となっていることを特徴としている。
この特徴によれば、外支柱と内支柱とを長手方向に相対的に移動させる際に、当接部が外支柱と内支柱との相対的なぐらつきを防止し、かつ当接部である転動体と外支柱の内面との摺動抵抗が低減されて、外支柱と内支柱と円滑に相対移動させることができる。
【００１２】
本発明の家具の支柱は、
前記押圧手段は、前記遊端部に形成された雌ネジ部に螺合される螺合部材となっていることを特徴としている。
この特徴によれば、遊端部に形成された雌ネジ部と螺合部材という簡素な構成で押圧手段を設けることができ、かつ螺合部材の回転操作により当接部の位置の微調整を容易に行うことができる。
【図面の簡単な説明】
【００１３】
【図１】実施例におけるテーブルを示す斜視図である。
【図２】テーブルを示す正面図である。
【図３】図２における右側の脚体の内部構造を示すＡ−Ａ縦断面図である。
【図４】脚体の下部を示す図３の部分拡大図である。
【図５】図４におけるＣ−Ｃ縦断面図である。
【図６】図３における脚体の内部構造を示すＢ−Ｂ横断面図である。
【図７】（ａ）は板体を示す正面図であり、（ｂ）は板体を示す側面図である。
【図８】（ａ）は昇降杆に板体を連結した状態を示し、（ｂ）はガイドローラーの調整動作を示す概念図である。
【図９】脚体の昇降動作を示す概念図である。
【発明を実施するための形態】
【００１４】
本発明に係る家具の支柱を実施するための形態を実施例に基づいて以下に説明する。
【実施例】
【００１５】
実施例に係る家具の支柱につき、図１から図９を参照して説明する。以下、図３，図４，図６の紙面右側をテーブルの正面側（前方側）として説明する。
【００１６】
図１の符号１は、本発明の適用された天板付き家具としてのテーブルである。このテーブル１は、左右に長い１枚の天板２と、この天板２の左右側部を支持する左右一対の脚体３（家具の支柱）と、を有している。テーブル１は、天板２を昇降させ、その高さ位置を変更できるようになっている。
【００１７】
図２に示すように、脚体３には、前後に延設されて床面に設置されるベース脚４と、ベース脚４の中央から立設された支持杆（外支柱，固定支柱）５と、支持杆５に内嵌された昇降杆６（内支柱，可動支柱）と、が設けられている。支持杆５の上部は開口しており、昇降杆６は、支持杆５に対して昇降自在に挿入されている。
【００１８】
また、左右の脚体３の上部には、アーム７が取り付けられており、この左右のアーム７は、左右方向に延びる連結杆８により連結されている。この連結杆８は略角柱形状をなし、左右の脚体３の間で略直線状に延設されている。更に、アーム７及び連結杆８の上部には、天板２が取り付けられており、昇降杆６の昇降とともに天板２が昇降されるようになっている。
【００１９】
図２に示すように、天板２の下面における中央部には、操作者が天板２を昇降させる際に操作される操作部９が取り付けられている。この操作部９は、天板２の前端部近傍に配置されている。操作者は、操作部９に設けられた操作レバー（図示略）を操作し、天板２を持ち上げたり下げたりすることで、天板２の高さ位置を自在に変更できるようになっている。
【００２０】
次に、左右のアーム７及び脚体３の内部構造について説明する。両アーム７及び両脚体３は、それぞれ前後が逆の状態で略同一構成となっているため、左側のアーム７及び脚体３について図３から図６を参照して説明する。図３は、図２におけるＡ−Ａ断面図であり、テーブル１の内側から見た縦断側面図となっている。
【００２１】
図３に示すように、昇降杆６の内部における前方側（紙面右側）には、上下方向に伸縮可能なガススプリング１０が設けられており、昇降杆６の内部における後方側（紙面左側）には、ベース脚４に固定された連結部材１１が上下方向に延設されている。尚、ガススプリング１０は、その下端部がベース脚４に固着されるとともに、その上端部がアーム７の下面に固着されている。
【００２２】
ガススプリング１０は、ガスを封入させたシリンダ１２と、シリンダ１２内部に配置されてシリンダ１２から出し入れされるピストンロッド１３と、を有している。ピストンロッド１３が出し入れされてガススプリング１０が上下方向に伸縮されることで、ガススプリング１０の上下長が任意の長さで変更可能となっている。
【００２３】
ピストンロッド１３は、ガススプリング１０の上端部に設けられたプッシュロッド１４が押圧されることにより動作し、ガススプリング１０の上下長を任意に変更できるようになっている。連結部材１１とガススプリング１０の間には、下部滑車部材１５及び同期用ワイヤ部材１６が設けられている。下部滑車部材１５は、水平方向を向く枢軸１５ａを中心に回動されるとともに、下部滑車部材１５は、昇降杆６とともに昇降可能になっている。
【００２４】
図３に示すように、アーム７の内部には、前後２つの上部滑車部材１７が上部滑車枢支部材１８に枢支されており、各上部滑車部材１７は、それぞれ水平方向を向く枢軸１７ａを中心に回動し、前方側の上部滑車部材１７と後方側の上部滑車部材１７は、それぞれ独立して回動されるようになっている。また、上部滑車部材１７から前後に離間された位置に垂直方向を向く枢軸４３ａを中心に回動する案内滑車部材４３が設けられている。
【００２５】
同期用ワイヤ部材１６は、上部前方側の上部滑車部材１７から下部側の下部滑車部材１５を介して上部後方側の上部滑車部材１７に向かって略Ｕ字状に架け渡されている。そして、この同期用ワイヤ部材１６は、左側のアーム７内の上部前方側の上部滑車部材１７から案内滑車部材４３を介して延出して右側のアーム７に向かって延び、右側のアーム７内の上部前方側の上部滑車部材１７に架け渡されている。
【００２６】
左側のアーム７内の上部後方側の上部滑車部材１７から延出する同期用ワイヤ部材１６は、前後逆の状態で同様に架け渡され、同期用ワイヤ部材１６は一体に形成されている。また、同期用ワイヤ部材１６における連結部材１１の近傍の部位には連結金具１９が設けられており、同期用ワイヤ部材１６は、この連結金具１９を介して連結部材１１の上端部に連結されている。
【００２７】
前後の上部滑車部材１７の間には、ガススプリング１０のプッシュロッド１４を押圧するための押圧部材２０が設けられている。この押圧部材２０は、側面視で略Ｌ字状をなし、押圧部材２０の上端部には、前述した操作部９から延出する操作用ワイヤ部材（図示略）が係合されている。
【００２８】
押圧部材２０の下端部が上部滑車枢支部材１８の下部に枢支されており、操作部９によって操作用ワイヤ部材（図示略）が内向きに牽引されると、押圧部材２０が揺動して押圧部材２０の下端部がガススプリング１０のプッシュロッド１４を押圧してガススプリング１０が作動するようになっている。
【００２９】
天板２が昇降される際の動きについて、図９の概念図を参照して説明する。図９に示すように、下部滑車部材１５と上部滑車部材１７とは、いずれも昇降杆６とともに昇降されるようになっている。例えば、紙面右側の昇降杆６が上昇した場合には、右側の上部滑車部材１７が上昇するが、同期用ワイヤ部材１６ａを連結金具１９を介して連結部材１１に固定されているため、右側の上部滑車部材１７が引き上げられることにより、同期用ワイヤ部材１６ａによって、左側の下部滑車部材１５が連動して右側の上部滑車部材１７の移動距離と同じ距離だけ上昇する。
【００３０】
同様に、紙面左側の昇降杆６が上昇した場合には、左側の上部滑車部材１７が上昇するが、同期用ワイヤ部材１６ｂは連結金具１９を介して連結部材１１に固定されているため、左側の上部滑車部材１７が引き上げられることにより、同期用ワイヤ部材１６ｂによって、右側の下部滑車部材１５が連動して左側の上部滑車部材１７の移動距離と同じ距離だけ上昇する。
【００３１】
このように、同期用ワイヤ部材１６ａによる作用と同期用ワイヤ部材１６ｂによる作用が同時に働いて相互に及ぼしあうため、左右の昇降杆６，６のいずれか一方のみが先行して上昇することがない。即ち、左右の昇降杆６，６が確実に同期して上昇するようになっている。尚、左右の昇降杆６，６が降下する場合においても、左側の昇降杆６と右側の昇降杆６が同時に同じ移動距離だけ連動して降下するように作用する。即ち、両方の脚体３の伸縮動作が同期されるため、天板２の高さ位置を変更する際に、天板２の左右で高さがずれることなく、天板２の水平状態が維持されて昇降されるようになる。
【００３２】
次に、昇降杆６の昇降動作をスムーズに行うためのガイドローラー２２（当接部，転動体）について詳述する。図３及び図４に示すように、脚体３の下部における前部と後部には、支持杆５と昇降杆６との間に上下方向に延びる板金からなる板体２１が設けられ、この板体２１には、上下にガイドローラー２２が枢支されている。
【００３３】
ガイドローラー２２によって支持杆５と昇降杆６との間の隙間を埋めることができるとともに、昇降杆６が昇降される際に、これらのガイドローラー２２が支持杆５に摺接して回動することで、昇降杆６の昇降動作がスムーズに行われるようになっている。
【００３４】
ここで、脚体３の前後に配置された板体２１の詳細について、図７を参照して説明する。図７（ａ）は板体２１の正面図であり、図７（ｂ）は板体２１の側面図を示している。図７（ｂ）に示すように、板体２１の上部と下部は、側面視で略コ字状に突出し、ガイドローラー２２が設けられるローラー取付部２３が形成されており、板体２１の中央部には、その内側に後述する滑子２４が嵌められるようになっている。
【００３５】
図７（ａ）に示すように、板体２１におけるローラー取付部２３の左右側部には、前方に延出するローラー枢支部材２６が取り付けられている。また、図７（ｂ）に示すように、このローラー枢支部材２６には、ガイドローラー２２の枢軸２２ａが取り付けられる枢軸孔２６ａが形成され、上下２つのガイドローラー２２が枢支されるようになっている。
【００３６】
板体２１の上端の板体上端部２７（遊端部）及び板体２１の下端の板体下端部２８（遊端部）には、補助板２９が溶接されており、板体上端部２７及び板体下端部２８に厚みが加えられている。板体上端部２７及び板体下端部２８と補助板２９には、本発明における押圧手段としてのイモネジ３０（螺合部材）が差し込まれるイモネジ孔３１（雌ネジ部）が形成されており、補助板２９の厚みの分だけイモネジ孔３１の深さが深くなり、イモネジ３０による螺合がし易くなっている。
【００３７】
板体２１における上下のローラー取付部２３，２３との間には、それぞれ挿通孔３２，３２が形成されており、板体２１は、ローラー取付部２３における突出する側が昇降杆６を向くように取り付けられるようになっている（図４参照）。
【００３８】
図４に示すように、昇降杆６における前側の側壁６ａ（内支柱の外面）及び後側の側壁６ｂ（内支柱の外面）には、前後の板体２１のローラー取付部２３と対応する位置に、ローラー取付部２３が嵌合する上下２つの嵌合孔３３が形成されるとともに、前後の板体２１の挿通孔３２と対応する位置には、上下２つのネジ孔３４が形成されている。
【００３９】
前後の板体２１には、その中央部に予め滑子２４が嵌合されて取り付けられているとともに、板体２１に取り付けられた上下のローラー枢支部材２６には、左右方向を向く枢軸２２ａを中心に回動するガイドローラー２２がそれぞれ取り付けられている。尚、滑子２４は摩擦抵抗の少ない合成樹脂等により形成されている。
【００４０】
板体２１を昇降杆６に取り付ける際には、板体２１における上下のローラー取付部２３が昇降杆６の前後の側壁６ａ，６ｂにおける上下の嵌合孔３３に、昇降杆６の外側からそれぞれ嵌合するように取り付ける。そして、板体２１における挿通孔３２と昇降杆６のネジ孔３４とにネジ３５が差し込まれ、螺合されることで前後の板体２１が昇降杆６に連結されている。
【００４１】
図４に示すように、板体上端部２７及び板体下端部２８と補助板２９，２９に形成されたイモネジ孔３１にイモネジ３０が差し込まれている。後述するように、このイモネジ３０は、一端部に六角孔３０ａが形成されており、イモネジ３０を締めたり緩めたりすることで、支持杆５に対するガイドローラー２２の位置を調整できるようになっている（図８参照）。
【００４２】
尚、本実施例では、前後の板体２１，２１の両方にイモネジ孔３１（雌ネジ部）が形成されているが、前後の板体２１，２１のうち、一方の板体２１には、イモネジ３０が取り付けられており、他方の板体２１には、イモネジ３０は取り付けられていない。そして、支持杆５に対するガイドローラー２２の位置調整は、前後いずれか一方の板体２１で行うようになっている。
【００４３】
尚、板体２１に取り付けられる滑子２４は、昇降杆６の前端部及び後端部に沿うように、平面視で略コ字状をなしている（図６参照）。昇降杆６が昇降される際に、この滑子２４が板体２１と昇降杆６との間及び昇降杆６と支持杆５との間で摺動することで、昇降杆６の昇降動作がスムーズに行われるようになっている。
【００４４】
次に、昇降杆６における左右の側壁６ｃ，６ｄ（内支柱の外面）に設けられた板体３６について、図５に示す脚体３の縦断正面図を参照して説明する。図５に示すように、脚体３の下部における左部と右部にも、前後の板体２１と同様に、支持杆５と昇降杆６との間に上下方向に延びる板体３６が設けられている。
【００４５】
左右の板体３６は、図７に示す前後の板体２１と略同様の形状をなしているが、左右の板体３６における上下の挿通孔３２の間には、下部滑車部材１５を取り付けるための上下２つの滑車取付孔３７が形成されている点が前後の板体２１と異なっている。
【００４６】
尚、本実施例では、左右の板体３６，３６の両方にイモネジ孔３１（雌ネジ部）が形成されているが、左右の板体３６，３６のうち、一方の板体３６には、イモネジ３０が取り付けられており、他方の板体３６には、イモネジ３０は取り付けられていない。そして、支持杆５に対するガイドローラー２２の位置調整は、左右いずれか一方の板体３６で行うようになっている。
【００４７】
昇降杆６の左側の側壁６ｃ及び右側の側壁６ｄには、左右の板体３６のローラー取付部２３と対応する位置に、ローラー取付部２３が嵌合する上下２つの嵌合孔３３が形成されるとともに、左右の板体３６の挿通孔３２と対応する位置には、上下２つのネジ孔３４が形成されている。更に、板体３６における上下のネジ孔３２，３２の間には、左右の板体３６の滑車取付孔３７と対応する上下２つのネジ孔３８が形成されている。
【００４８】
下部滑車部材１５の枢軸１５ａは、下部滑車枢支部材３９に枢支されており、下部滑車部材１５及び下部滑車枢支部材３９は、昇降杆６の内部に配置され、昇降杆６におけるテーブル１の内側となる右側の側壁６ｄに取り付けられるようになっている。即ち、右側の脚体３における昇降杆６の場合には、下部滑車枢支部材３９は左側の側壁（図示略）に取り付けられるようになっている。
【００４９】
また、左右の板体３６に取り付けられた上下のローラー枢支部材２６には、前後方向を向く枢軸２２ｂを中心に回動するガイドローラー２２がそれぞれ取り付けられている。左右の板体３６は、左右の板体３６におけるローラー取付部２３が、昇降杆６の左右の側壁６ｃ，６ｄにおける上下の嵌合孔３３に、昇降杆６の外側からそれぞれ嵌合するように取り付けられている。
【００５０】
そして、左右の板体３６の挿通孔３２と昇降杆６のネジ孔３４とにネジ３５が差し込まれ、螺合されることで左右の板体３６が昇降杆６に連結されている。更に、右側の板体３６の滑車取付孔３７と昇降杆６のネジ孔３８と下部滑車枢支部材３９のネジ孔４０にネジ３５が差し込まれ、螺合されることで下部滑車部材１５が昇降杆６の右側の側壁６ｄに取り付けられている。
【００５１】
尚、左右の板体３６，３６は、いずれも滑車取付孔３７が形成された同一形状をなしているため、いずれを用いても下部滑車部材１５を昇降杆６に取り付けることができるようになっている。このように、前後の板体２１と左右の板体３６の２種類の板体を形成すれば前後左右の４箇所に板体２１，３６を取り付けることができるため、部品点数を減らして製造コストの低減が図られている。
【００５２】
図６に示すように、支持杆５における前後端部及び左右の中央部の内側面は、内向きに突出しており、各板体２１，３６に取り付けられたガイドローラー２２が摺接する摺接部５ａ（外支柱の内面）となっている。これら４箇所の摺接部５ａに、それぞれ板体２１，３６が摺接して回動することで、昇降杆６が前後左右のいずれの方向に揺れても、４つのガイドローラー２２のいずれかが支持杆５に当接するため、昇降杆６の昇降動作がスムーズに行われる。
【００５３】
次に、支持杆５に当接するガイドローラー２２の調整について、前後の板体２１を例に、図８を参照して説明する。図８（ａ）には、板体２１の上部を示しており、板体２１が昇降杆６にネジ３５で螺合された連結部４１の上方にはガイドローラー２２が枢支され、板体２１における板体上端部２７にはイモネジ３０が取り付けられている。尚、２点鎖線は支持杆５の内側面を示す仮想線である。
【００５４】
図８（ｂ）に示すように、六角ドライバー４２（調整手段）をイモネジ３０の六角孔３０ａ（被調整部）に差し込み、イモネジ３０を締める方向に六角ドライバー４２を回転させると、板金からなる板体２１が昇降杆６との連結部４１を支点として弾性変形し、支持杆５の方向に角度θの分だけ傾けられる。
【００５５】
昇降杆６を支持杆５に内嵌させて確認しながら、ガイドローラー２２が支持杆５に当接するように角度θを調整し、板体２１に枢支されているガイドローラー２２と支持杆５との距離を所定距離になるようにイモネジ３０を締めたり緩めたりすることで調整が完了する。
【００５６】
このように、イモネジ３０の端部を昇降杆６の外面に対して押し付けることで、ガイドローラー２２と支持杆５との距離が調整可能となり、板金からなる板体２１の弾性変形を利用して容易にガイドローラー２２の位置調整ができるようになっている。尚、左右の板体３６におけるガイドローラー２２の位置調整についても同様である。
【００５７】
また、図４及び図５に示すように、板体２１，３６が昇降杆６に連結された状態において、イモネジ３０が取り付けられた板体２１，３６における板体上端部２７が、昇降杆６の外面から所定寸法の間隙部ｄを設けて離間するようになっているため、板体上端部２７の支持杆５への押し付け代、即ち支持杆５に対するガイドローラー２２の調整代を大きく確保できる。更に、イモネジ３０が取り付けられていない板体２１，３６における板体上端部２７が、昇降杆６の外面から所定寸法の間隙部ｄを設けているため、ガイドローラー２２が昇降杆６に近づく方向に移動する移動代を確保できる。
【００５８】
更に、板体２１，３６が昇降杆６に連結された状態において、板体２１，３６に枢支されるガイドローラー２２を備える下端部が、昇降杆６の下端部近傍に位置するようになっているため、支持杆５に昇降杆６をほぼ内嵌させた状態でもガイドローラー２２の位置調整を行うことができる。
【００５９】
以上、本実施例におけるテーブル１では、昇降杆６の外面には、昇降杆６の長手方向に延びる板体２１，３６の連結部４１が連結され、板体２１，３６の上下両端部のうち、少なくとも一方の端部が遊端部２７，２８となっており、遊端部２７，２８には、昇降杆６の外面を押圧するイモネジ３０と、イモネジ３０によって板体２１，３６が連結部４１を支点として弾性変形されることにより位置が調整されて支持杆５の内面に当接されるガイドローラー２２と、が設けられることで、ガイドローラー２２が支持杆５の内面に当接されて、支持杆５と昇降杆６との相対的なぐらつきを防ぐようになっており、このガイドローラー２２の配置位置は、イモネジ３０を用いて支持杆５の内面と昇降杆６の外面の離間幅に合わせて容易に調整でき、かつ弾性変形可能な板体２１，３６の遊端部２７，２８にガイドローラー２２が配置されるため、ガイドローラー２２に外力が加わっても、板体２１，３６の弾性力が外力を吸収してガイドローラー２２の変形や破損等を防げるようになっている。尚、板体２１，３６が幅方向に弾性変形されてガイドローラー２２に加わる外力を吸収したり、板体２１，３６の遊端部２７，２８が昇降杆６から離れる方向に弾性変形されてガイドローラー２２に加わる衝撃等を吸収したりできる。
【００６０】
また、ガイドローラー２２は、連結部４１とイモネジ３０との間に設けられることで、ガイドローラー２２に加わる外力が連結部４１とイモネジ３０とに分散して加わるようになり、連結部４１とイモネジ３０とによりガイドローラー２２を強固に支持できる。
【００６１】
また、板体２１，３６の遊端部２７，２８は、昇降杆６から所定寸法の間隙部ｄを設けて離間されることで、イモネジ３０によりガイドローラー２２の位置調整を行う際に、ガイドローラー２２の昇降杆６の外面に対する押し付け代、すなわちガイドローラー２２の位置調整の調整代を大きく確保できる。
【００６２】
また、板体２１，３６は、ガイドローラー２２が昇降杆６の長手方向の端部近傍に配置されるように昇降杆６に連結されることで、最もぐらつき易い昇降杆６の長手方向の端部のぐらつきを防止することができ、かつ支持杆５に昇降杆６が挿入された状態でガイドローラー２２の位置調整を行う際に、昇降杆６の端部を支持杆５の端部から露呈させることで、操作者がイモネジ３０を容易に操作することができる。
【００６３】
また、ガイドローラー２２は、板体２１，３６の長手に直交する方向に延びる枢軸２２ａ，２２ｂに枢支されることで、支持杆５と昇降杆６とを長手方向に相対的に移動させる際に、ガイドローラー２２が支持杆５と昇降杆６との相対的なぐらつきを防止し、かつガイドローラー２２と支持杆５の内面との摺動抵抗が低減されて、支持杆５と昇降杆６と円滑に相対移動させることができる。
【００６４】
また、遊端部２７，２８に形成されたイモネジ孔３１に螺合されるイモネジ３０を設けることで、遊端部２７，２８に形成されたイモネジ孔３１とイモネジ３０という簡素な構成でイモネジ３０を設けることができ、かつイモネジ３０の回転操作によりガイドローラー２２の位置の微調整を容易に行うことができる。
【００６５】
以上、本発明の実施例を図面により説明してきたが、具体的な構成はこれら実施例に限られるものではなく、本発明の要旨を逸脱しない範囲における変更や追加があっても本発明に含まれる。
【００６６】
例えば、前記実施例では、本発明における当接部としてガイドローラー２２を設けたが、ガイドローラー２２に限らず支持杆５の内面に当接する板部材等のみでもよく、この板部材を摩擦抵抗の少ない合成樹脂等で形成すれば、支持杆５をスムーズに摺動させることができる。
【００６７】
また、前記実施例では、前後の板体２１，２１のうち一方の板体２１と、左右の板体３６，３６の一方の板体３６に、押圧手段としてのイモネジ３０が設けられ、前後及び左右のいずれかの一方からガイドローラー２２の位置調整が行えるようになっているが、前後両方の板体２１，２１と、左右両方の板体３６に、押圧手段としてのイモネジ３０を設けて、前後及び左右の四方からガイドローラー２２の位置調整が行えるようにしてもよい。
【００６８】
また、前記実施例では、板体２１，３６を昇降杆６の下部に設けているが、昇降杆６の上部に設けてもよい。これにより、板体２１，３６に枢支されるガイドローラー２２を備える上端部が、昇降杆６の上端部近傍に位置するようになり、前記実施例と同様に、支持杆５に昇降杆６をほぼ内嵌させた状態でもガイドローラー２２の位置調整を行うことができる。
【００６９】
また、前記実施例では、板体２１，３６の両端部にガイドローラー２２を設けているが、いずれか一方でもよい。更に、板体２１，３６の遊端部である板体上端部２７と板体下端部２８とは、いずれか一方が遊端部をなしていればよく、例えば、板体上端部２７をネジ等により昇降杆６に固定してしまい、板体下端部２８を片持ち梁のような遊端部としてもよい。
【００７０】
尚、ガイドローラー２２の位置と板体２１，３６の弾性変形の支点である連結部４１との間の距離が大きいほど、板体２１，３６の遊端部２７，２８の移動距離を大きくすることができ、ガイドローラー２２の位置調整の調整代を大きく確保できる。
【符号の説明】
【００７１】
１                テーブル（天板付き家具）
３                脚体（家具の支柱）
５                支持杆（外支柱，固定支柱）
５ａ              摺接部（外支柱の内面）
６                昇降杆（内支柱，可動支柱）
６ａ              前側の側壁（内支柱の外面）
６ｂ              後側の側壁（内支柱の外面）
６ｃ              左側の側壁（内支柱の外面）
６ｄ              右側の側壁（内支柱の外面）
２１              板体
２２              ガイドローラー（当接部，転動体）
２２ａ，２２ｂ    枢軸
２７              板体上端部（遊端部）
２８              板体下端部（遊端部）
３０              イモネジ（押圧手段，螺合部材）
３０ａ            六角孔（被調整部）
３１              イモネジ孔（雌ネジ部）
３６              板体
４１              連結部
４２              六角ドライバー（調整手段）
【図１】
0005465078.tif 000002
【図２】
0005465078.tif 000003
【図３】
0005465078.tif 000004
【図４】
0005465078.tif 000005
【図５】
0005465078.tif 000006
【図６】
0005465078.tif 000007
【図７】
0005465078.tif 000008
【図８】
0005465078.tif 000009
【図９】
0005465078.tif 000010